(57)【要約】【課題】多数の局が選局出来る場合の選局操作を行う場合の操作性を向上させる。【解決手段】放送局に関する情報を、行及び列にそれぞれ複数個マトリクス状に表示させる表示手段１１１と、表示手段で表示された情報の中から、受信する局を行方向の一方及び他方と列方向の一方及び他方の４方向に変化させる、４方向を個別に指示する操作手段４１〜４４とを備えて、マトリクス状に表示された放送局などの中から、４方向を個別に指示する操作手段の操作で、選択される放送局の位置を行及び列に自在に選べるようにした。【選択図】      図１
2005027102.tif 000002
【特許請求の範囲】
【請求項１】
放送局に関する情報を、行及び列にそれぞれ複数個マトリクス状に表示させる表示手段と、
前記表示手段で表示された情報の中から、受信する局を行方向の一方及び他方と列方向の一方及び他方の４方向に変化させる、４方向を個別に指示する操作手段と、
前記放送局表示手段でのマトリクス状の表示の中から前記操作手段の操作で選択された位置を示す告知手段と、
前記告知手段で告知された放送局の放送信号を受信する指示を行う制御手段とを備えた
選局装置。
【請求項２】
請求項１記載の選局装置において、
前記表示手段へのマトリクス状の放送局に関する情報の表示は、受信するバンド毎に、異なる行に分けて表示させ、
前記操作手段で選択する行の変化で、前記制御手段は、異なるバンドの放送局の受信に変化させる制御を行う
選局装置。
【請求項３】
請求項１記載の選局装置において、
前記表示手段でのマトリクス状に表示された特定の行には、所定の操作でプリセットされた放送局に関する情報又は入力を表示させ、
前記操作手段で前記特定の行の選択で、前記制御手段は、前記プリセットされた放送局に関する情報又は入力を受信する指示を行う
選局装置。
【請求項４】
請求項１記載の選局装置において、
前記表示手段は、放送局名をマトリクス状に表示させたカードを収納させる手段であり、
前記表示手段に収納されたカードの種類を判別する判別手段を備えて、
前記制御手段は、前記判別手段で判別した種類に応じて、前記表示手段にマトリクス状に表示された各位置の放送局を特定する
選局装置。
【請求項５】
請求項４記載の選局装置において、
前記カードは、地域毎に受信できる放送局名をマトリクス状に表示させた、地域別に用意されたカードである
選局装置。
【請求項６】
請求項４記載の選局装置において、
前記カードに表示された各放送局名に対応して前記制御手段が判断する放送局の受信周波数は、サテライト局まで含めた複数の受信周波数であり、その複数の受信周波数の中で受信感度の良い受信周波数を前記制御手段は選定する
選局装置。
【発明の詳細な説明】
【０００１】
【発明の属する技術分野】
本発明は、例えばラジオ受信機などの放送信号を受信する機器、或いはその受信機にリモートコントロール信号を送信する機器などに適用して好適な選局装置に関する。
【０００２】
【従来の技術】
従来、ラジオ放送を受信するラジオ受信機として、地域毎に受信できる放送局を予め記憶させておき、ラジオ受信機を購入したユーザは、初期設定として、使用する地域の設定に関する処理を行うだけで、その使用する地域で受信可能な放送局が自動的にプリセットされるようにしたものがある。
【０００３】
図９は、このようなタイプの受信機の一例を示したものである。この例では、各地域毎に受信可能な放送局名を記載したカードを、受信機に挿入させて、そのカードに記載された放送局名が、表示窓９０から見えるようにしたタイプの受信機としてある。この例では、放送局名の表示形態として、３行の表示９１，９２，９３を行うようにしてあり、第１の行の表示９１については、このとき挿入されたカードに対応した地域で受信可能なテレビジョン放送局名の表示９１ａ，９１ｂ，９１ｃ，９１ｄ，９１ｅ，９１ｆがある。同様にして、第２の行の表示９２については、この地域で受信可能なＦＭラジオ放送局名が１局ずつ表示させてあり、第３の行の表示９３については、この地域で受信可能なＡＭラジオ放送局名が１局ずつ表示させてある。そして、各放送局名の表示位置の裏側には、発光ダイオードなどの点灯手段が組み込んであり、このように表示された中で、受信することが選択された放送局名については、点灯させて表示させるようにしてある。
【０００４】
そして、選局操作を行う際には、例えば図９の右側に配置された操作キーを使用する。この例では、バンド選択用のキー８１，８２，８３と、左及び右の方向を示した２つの選局キー８４，８５を使用する。
【０００５】
この５つのキー８１〜８５を使用した従来の選局操作について説明すると、例えばテレビジョン放送局を選局する場合には、テレビジョン放送用のバンド選択キー８１を押す。この操作で、表示窓９０の第１の行の表示９１が選択されて、次に２つの選局キー８４，８５を使用して、受信したい局を選ぶ。２つの選局キー８４，８５を使用した操作がある毎に、対応した方向に１局ずつ選択位置（点灯位置）を変化させて、所望の局が点灯するようになったら、その局が選局されて受信する動作が行われる。
【０００６】
ＦＭ放送やＡＭ放送を受信する場合にも、ＦＭ放送用のバンド選択キー８２又はＡＭ放送用のバンド選択キー８３を押した後に、２つの選局キー８４，８５を使用して、受信したい局を選ぶ。
【０００７】
【特許文献１】
特開昭５９−１７１２１３号公報
【０００８】
【発明が解決しようとする課題】
上述したように、ラジオ受信機などで選局を行う際には、バンドの切換え操作と、その切換え操作で選ばれたバンドの中で選局操作を行うのが基本である。ところが、選局の操作性を考えると、バンドの切換操作が面倒である問題があった。
【０００９】
従来、バンドの切換え操作が不要なタイプのラジオ受信機としては、例えば１０個程度の個数のプリセットボタンを受信機に設けて、それぞれのプリセットボタンに、バンドと無関係に放送局の受信周波数をプリセットできるようにしたものがあるが、プリセットボタンを多数配置すると、それだけ受信機の構成が複雑化すると共に、プリセットできる最大の局数が、配置されたプリセットボタンの数に限定されてしまう。従って、図９に示したような、表示窓９０を設けて、受信できる放送局を直接表示させるようにしたタイプの方が、種々の点で優れており、特に直接的に受信できる放送局名が判るので、ラジオ受信機の操作に慣れていない者にも容易に受信操作が行えるが、より操作性を向上させることが要請されている。
【００１０】
上述した特許文献１には、プリセットボタンを多数配置した受信機についての記載がある。
【００１１】
なお、ここまでの説明では、ラジオ受信機の操作性の問題について説明したが、テレビジョン受信機などの他の受信機や、そのリモートコントロール装置などで選局操作を行う場合にも、同様の操作性についても問題がある。
【００１２】
本発明はかかる点に鑑み、選局操作を行う場合の操作性を向上させることを目的とする。
【００１３】
【課題を解決するための手段】
本発明は、放送局に関する情報を、行及び列にそれぞれ複数個マトリクス状に表示させる表示手段と、表示手段で表示された情報の中から、受信する局を行方向の一方及び他方と列方向の一方及び他方の４方向に変化させる、４方向を個別に指示する操作手段とを備えて、マトリクス状に表示された放送局などの中から、４方向を個別に指示する操作手段の操作で、選択される放送局の位置を行及び列に自在に選べるようにしたものである。
【００１４】
このようにしたことで、マトリクス状に表示された放送局名などの情報の中から、４方向を個別に指示する操作手段の操作で選択された放送局の受信が行える。
【００１５】
【発明の実施の形態】
以下、本発明の一実施の形態を、図１〜図７を参照して説明する。
【００１６】
本例においては、ラジオ放送及びテレビジョン放送を受信して、音声を出力させるラジオ受信機に適用したものである。図１は、本例の受信機の外観形状の例を示した斜視図である。本例の場合には、ラジオ受信機本体を構成する筐体の前面に、スピーカ配置部１０１が設けてあり、筐体の上面には、電源キーや選局用のキーなどの各種操作キーが配置してある。本例の場合には、選局用のキーとして、４つの操作キー４１，４２，４３，４４が配置してある。この４つの操作キー４１，４２，４３，４４は、上、下、左、右の４方向を個別に指示するキーであり、三角印などで各キーが示す方向が判るようにしてある。なお、一部のキーについては、蓋１０２の内部に配置するようにしてある。
【００１７】
また、キーなどが配置された筐体の上面の奥には、選局できる放送局などを表示させる表示部１１０が設けてある。この表示部１１０には、選局できる放送局名がマトリクス状に印刷されたカードを挿入した場合に、そのカードに表示された放送局が表示されるカード表示用窓１１１を備える。カードは、左端の蓋１２０を開けて挿入される。カードとその挿入部の構成については後述する。
【００１８】
また表示部１１０には、カード表示用窓１１１とは別に、３つのメモリ表示１１２，１１３，１１４が設けてあり、カードにマトリクス状に表示された放送局名と揃った状態で表示されるようにしてある。このメモリ表示とカード上の放送局の表示状態の詳細についても後述するが、本例の場合には、カード上の放送局名と、３つのメモリ表示１１２〜１１４の内の選局されたいずれか１つを、表示部１１０の内部に配置した発光ダイオードで点灯させて、選局された局などが判るようにしてある。
【００１９】
また本例の場合には、表示部１１０とは別に、受信周波数などを表示する表示部３４についても用意してある。
【００２０】
次に、本例のラジオ受信機の内部構成例を、図２を参照して説明する。アンテナ１で受信した信号は、アンプ２を介してミキサ３に供給し、電圧制御発振器（ＶＣＯ）９の発振出力を混合して、所定の受信周波数の信号を中間周波信号（ＩＦ信号）に周波数変換する。変換された中間周波信号は、中間周波回路４に供給して、増幅，フィルタリングなどの処理を行い、処理された信号を検波回路５に供給して音声信号の検波処理を行い、検波された音声信号を、アンプ６を介してスピーカ７に供給し、出力させる。
【００２１】
ミキサ３に発振出力を供給する電圧制御発振器９は、ローパスフィルタ８と分周器１１と比較器１０と発振器１２とでＰＬＬ回路（フェーズ・ロックド・ループ回路）を構成してあり、この受信機の受信動作を制御する中央制御ユニット（ＣＰＵ）２４からポート１７を介して分周器１１に分周比制御データが供給されることで、電圧制御発振器９の発振周波数が決まり、このラジオ受信機での受信周波数が設定される。
【００２２】
また、アンプ２での増幅率は、中央制御ユニット２４からポート１８を介して供給される制御信号により設定され、後述する周波数プリセット時などに受信感度を低下させる処理などに使用される。また、中間周波回路４の出力及び検波回路５の出力については、それぞれ検出回路１３，１４で検出した周波数やレベルについてのデータが、ポート１９，２０を介して中央制御ユニット２４に供給される。さらに、アンプ６での増幅率が、音量調整データなどに基づいて中央制御ユニット２４からポート２１を介して供給されるデータで制御される。
【００２３】
４つの選局用キー４１〜４４などのキーの操作により発せられたデータについては、インターフェース２８を介して中央制御ユニット２８に供給される。後述する複数の検出スイッチ１５，１６…の検出データについても、ポート２２，２３などを介して中央制御ユニット２４に供給される。また、中央制御ユニット２４の制御で発光する複数の発光ダイオード３２，３３…が用意されて、中央制御ユニット２４からポート２９，３０などを介して発光の指令を送るようにしてある。この発光ダイオードは、表示部１１０で放送局名などを表示させるために使用される。さらに、表示部３４を構成する液晶表示パネル（ＬＣＤ）での表示についても、中央制御ユニット２４からポート３１を介した表示制御データの供給で制御される。
【００２４】
中央制御ユニット３４には、制御処理に必要なＲＯＭ２５及びＲＡＭ２６が接続してあると共に、選局用のデータが記憶されるメモリ２７についても用意してある。
【００２５】
次に、このように構成されるラジオ受信機に、選局用のカードを挿入するための構成について、図３，図４を参照して説明する。本例のラジオ受信機は、既に説明したように選局用のカードを表示部１１０に挿入させることができる機構としてある。図３は、このカードを挿入させる状態を示した図であり、ラジオ受信機１００の上端に配置された表示部１１０のカード表示用窓１１１の左端の蓋１２０を開けた状態としてある。この蓋１２０を開けることで、内部のカード挿入用溝１２１に、細長い形状のカード２００を挿入させることが可能になる。
【００２６】
カード２００については、放送局名が縦と横にマトリクス状に記載してあり、縦方向（列方向）に３列、横方向（行方向）に最大７個程度までの放送局名の記載ができるようにしてある。本例の場合には、地域毎に受信できる放送局を分けて、カード２００を作成してある。具体的には、例えば日本で使用されるラジオ受信機の場合、北海道で受信できる放送局名を記載したカード、東北地方で受信できる放送局名を記載したカード、関東地方で受信できる放送局名を記載したカード、…のように、複数の地域に分割してカード２００を作成してある（実際には東北１，東北２のように１つの地域をさらに２枚のカードに分けてある場合もある）。このカード２００の種類を判別するために、カード２００の左端には、種類判別用の孔２０１，２０２が設けてあり、その孔２０１，２０２の位置を、カード表示用窓１１１に装着された状態で検出できるようにしてある。図２の受信機の構成で示した検出スイッチ１５，１６は、このカードの種類を検出するためのスイッチである。
【００２７】
そして本例のカード２００は、マトリクス状に３列に放送局名を記載する場合に、第１列に表示された放送局２１１，２１２…として、その地域で受信可能なテレビジョン放送局名を記載してあり、第２列に表示された放送局２２１，２２２…として、その地域で受信可能なＦＭ放送局名を記載してあり、第３列に表示された放送局２３１，２３２…として、その地域で受信可能なＡＭ放送局名を記載してある。
【００２８】
なお、カード２００は、例えば放送局名を示す文字の部分を透明として、その他の部分を黒色などで着色させる。このようにすることで、カード表示用窓１１１に挿入した場合に、背面側に配置された発光ダイオードによる発光で、文字が照明される。
【００２９】
図４は、カード２００がカード表示用窓１１１に挿入されて、放送局名が表示された例を示した図である。カード表示用窓１１１から、カード２００に記載（印刷）された全ての放送局名が見える状態となっている。即ち、第１列に６局の放送局２１１〜２１６が表示され、その下の第２列に３局の放送局２２１〜２２３が表示され、その下の第３列に５局の放送局２３１〜２３５が表示された状態となっている。
【００３０】
さらに、表示部１１０のカード表示用窓１１１の下側に、３つのメモリ表示１１２，１１３，１１４が用意してある。即ち、メモリ表示１１２として、「メモリ−１」と表示し、メモリ表示１１３として、「メモリ−２」と表示し、メモリ表示１１４として、「メモリ−３」と表示してある。この３つのメモリ表示１１２〜１１４を配置する位置は、カード２００上の３つの列の左端から３つの放送局名表示２１１〜２１３，２２１〜２２３，２３１〜２３３と、ほぼ同じ間隔としてある。また、これら３つのメモリ表示１１２〜１１４についても、発光ダイオードによる発光で、いずれかのメモリ表示が選択された場合に、その表示文字が照明されるようにしてある。３つのメモリ表示は、本例の場合、カードによりプリセットされる放送局とは別に、ユーザが自由に受信周波数をプリセットできるものに対応した表示である。このプリセットした受信周波数に関する情報は、例えば図２に示したメモリ２７に記憶される。
【００３１】
このようにしてカード２００をラジオ受信機１００に挿入して、その挿入されたカード２００の種類が判別されることで、本例の受信機１００の中央制御ユニット２４は、その種類に応じた各放送局の受信周波数を判別して、その受信周波数を設定する。挿入されたカード２００と受信周波数との対応については、データテーブルとしてＲＯＭ２５などの記憶手段に予め記憶させてある。図５は、データテーブルの一例を示した図である。この例では、東北地方２のＦＭ放送局のデータテーブルを示してある。この地域の場合、ＦＭ放送局の数として４局であるが、それぞれの放送局には基本的に同一内容を別の周波数で送信するサテライト局が存在し、そのサテライト局まで含めた周波数リストを記憶させてある。
【００３２】
そして、受信機１００では、カード２００が挿入されて周波数プリセット動作が開始されると、制御手段である中央制御ユニット２４の制御で、各放送局毎に最適に受信できる周波数を探し、その探し出した受信周波数を、その放送局に関する受信周波数であるとメモリに記憶させるプリセット動作を行う。
【００３３】
図６のフローチャートは、このカード２００が挿入されて、その挿入されたカード２００に記載された放送局に関するプリセット動作の例を示したフローチャートである。
【００３４】
以下、図６のフローチャートに従って説明すると、まずリスト中の最初の放送局をセットする動作を開始し（ステップＳ１１）、ポート２１よりアンプ６にミュートをかけ、確実に受信できる周波数を選ぶ為に、ポート１８よりＲＦアンプ２にアッテネートをかけて低感度状態にする（ステップＳ１２）。この状態で、選んだ放送局の最初の周波数をセットする（ステップＳ１３）。ここでは、例えば図５中のＤａｔｅ  ＦＭ  の周波数Ｓ１（７７．１ＭＨｚ  ）をセットする。
【００３５】
次に、この周波数が受信可能かどうかの判定を行う。ここでは音声検波出力の値を検出し（ステップＳ１４）、その値が０か否か判断する（ステップＳ１５）。ここでは、値（ＳＤ値）が０である場合に適正であり、ＳＤ値が０である場合に中間周波信号の周波数を検出し（ステップＳ１６）、中間周波信号の周波数が適正な値であるか否か判断し（ステップＳ１７）、適正な値である場合に、そのときの受信周波数を該当する局の受信周波数として登録する（ステップＳ１８）。そして、最後の放送局か否か判断し（ステップＳ１９）、最後の局でない場合に、ステップＳ３５で次の放送局のセットに移り、ステップＳ１２からの処理に戻る。
【００３６】
ステップＳ１５及びステップＳ１７での判断で、適正なレベルでないと判断した場合には、そのとき受信している放送局についての、データテーブル中の最後の受信周波数であるか否か判断し（ステップＳ２０，Ｓ２２）、最後の受信周波数でない場合には、データテーブル中の次の受信周波数をセットし（ステップＳ２１）、ステップＳ１４に戻る。
【００３７】
また、ステップＳ２０及びＳ２２で最後の受信周波数であると判断した場合には、ＲＦアンプ２を通常感度に戻し（ステップＳ２３）、データテーブル中の該当する放送局の最初の周波数をセットして（ステップＳ２４）、音声検波出力の値を検出し（ステップＳ２５）、その値が０か否か判断する（ステップＳ２６）。ここでは、値（ＳＤ値）が０である場合に適正であり、ＳＤ値が０である場合に中間周波信号のレベルを検出し（ステップＳ２７）、中間周波信号のレベルが適正なレベルであるか否か判断し（ステップＳ２８）、適正なレベルである場合に、そのときの受信周波数を該当する局の受信周波数として登録する（ステップＳ２９）。そして、最後の放送局か否か判断し（ステップＳ３０）、最後の局でない場合に、ステップＳ３５で次の放送局のセットに移り、ステップＳ１２からの処理に戻る。
【００３８】
そして、ステップＳ２６及びステップＳ２８での判断で、適正なレベルでないと判断した場合には、そのとき受信している放送局についての、データテーブル中の最後の受信周波数であるか否か判断し（ステップＳ３１，Ｓ３３）、最後の受信周波数でない場合には、データテーブル中の次の受信周波数をセットし（ステップＳ３２）、ステップＳ２５に戻る。
【００３９】
このようにして処理を行うことで、その地域で受信できる各放送局毎に、サテライト局も含めた送信周波数の中から、良好に受信できる受信周波数がプリセットされる。
【００４０】
次に、本例のラジオ受信機で選局を行う場合の動作例を、図７のフローチャートを参照して説明する。この選局操作は、図１に示した受信機１００に配置された４つの選局用キー４１，４２，４３，４４などの操作を、中央制御ユニット２４が判断して行われる。まず、選局用キーとは別の電源キーの操作で、このラジオ受信機の電源がオンになったか否か判断し（ステップＳ４１）、電源オンになったら、最後に受信した放送局を受信させ、その放送局の表示を点灯させる（ステップＳ４２）。このとき受信する放送局が、カードに記載された放送局である場合には、その放送局が記載された位置を点灯させ、メモリ表示１１２〜１１４のいずれかにプリセットされた放送局である場合には、そのメモリ表示を点灯させる。
【００４１】
次に、上の方向を示した選局用キー４１が押されたか否か判断する（ステップＳ４３）。この判断で、上方向を示すキー４１が押された場合には、現在選局中の局が表示された位置よりも１つ上の行の同じ列位置に、別のバンドの放送局の表示があるか否か判断する（ステップＳ４４）。
【００４２】
ここで、上に別のバンドの放送局があると判断された場合に、その１つ上の行のバンドの、同じ列位置に、受信する放送局を変化させ、その放送局名の表示を点灯させる（ステップＳ４５）。例えば、図４に示した例で、２行目の左から２列目の放送局２２２（図中の「ＦＭ山形」と表示された位置）を受信している状況で、上方向を示すキー４１が押された場合、１つ上の行である１行目の同じ列位置である放送局２１２（図中の「ＮＨＫ総合」と表示された位置）を受信している状況に変化する。
【００４３】
ステップＳ４４で上のバンド位置の同じ列位置に表示された局がない場合には、キー４１が押されても、受信局を変化させない。
【００４４】
次に、下の方向を示した選局用キー４２が押されたか否か判断する（ステップＳ４６）。この判断で、下方向を示すキー４２が押された場合には、現在選局中の局が表示された位置の１つ下に、別のバンドの放送局があるか否か判断する（ステップＳ４７）。
【００４５】
ここで、下に別のバンドの放送局があると判断された場合（ここではメモリ表示がある場合も含む）に、その１つ下の行のバンドの、同じ列位置に、受信する放送局を変化させ、その放送局名の表示を点灯させる（ステップＳ４８）。例えば、図４に示した例で、２行目の左から２列目の放送局２２２（図中の「ＦＭ山形」と表示された位置）を受信している状況で、下方向を示すキー４１が押された場合、１つ下の行である１行目の同じ列位置である放送局２３２（図中の「ＹＢＣラジオ」と表示された位置）を受信している状況に変化する。また、３行目の左から２列目の放送局２３２（図中の「ＹＢＣラジオ」と表示された位置）を受信している状況で、下方向を示すキー４１が押された場合、１つ下の行の同じ列位置であるメモリ表示１１３に変化し、該当する位置が点灯して、メモリ表示１１３にプリセットされた放送の受信に変化する。
【００４６】
ステップＳ４７で下の行の同じ列位置に表示された局がない場合には、キー４２が押されても、受信局を変化させない。
【００４７】
次に、右の方向を示した選局用キー４４が押されたか否か判断する（ステップＳ４９）。この判断で、右方向を示すキー４４が押された場合には、現在選局中の局が表示された位置の１つ右の列に、別の放送局があるか否か判断する（ステップＳ５０）。
【００４８】
ここで、右に別の放送局があると判断された場合に、その右の列に表示された放送局に受信する周波数を変化させ、その放送局名の表示を点灯させる（ステップＳ５１）。例えば、図４に示した例で、２行目の左から２列目の放送局２２２（図中の「ＦＭ山形」と表示された位置）を受信している状況で、右方向を示すキー４４が押された場合、１つ右の列である放送局２２３（図中の「ふくしまＦＭ」と表示された位置）を受信している状況に変化する。
【００４９】
ステップＳ５０で右の列位置に表示された局がない場合には、キー４４が押されても、受信局を変化させない。
【００５０】
次に、左の方向を示した選局用キー４３が押されたか否か判断する（ステップＳ５２）。この判断で、左方向を示すキー４３が押された場合には、現在選局中の局が表示された位置の１つ左の列に、別の放送局があるか否か判断する（ステップＳ５３）。
【００５１】
ここで、左に別の放送局があると判断された場合に、その左の列に表示された放送局に受信する周波数を変化させ、その放送局名の表示を点灯させる（ステップＳ５４）。例えば、図４に示した例で、２行目の左から２列目の放送局２２２（図中の「ＦＭ山形」と表示された位置）を受信している状況で、左方向を示すキー４３が押された場合、１つ左の列である放送局２２１（図中の「Ｄａｔａｆｍ」と表示された位置）を受信している状況に変化する。
【００５２】
ステップＳ５３で左の列位置に表示された局がない場合には、キー４３が押されても、受信局を変化させない。
【００５３】
そして、ステップＳ５２で左方向のキーが操作されてないと判断した場合、及びステップＳ５４での受信周波数の変化を行った後に、電源オフ操作があるか否か判断し（ステップＳ５５）、電源オフ操作がない場合に、ステップＳ４３の判断に戻る。
【００５４】
ステップＳ５５で、電源オフ操作があると判断した場合には、最後に受信していた放送局又は受信周波数をメモリに記憶して（ステップＳ５６）、放送信号の受信動作を停止させる。
【００５５】
このようにしてラジオ放送などを受信する際には、４つの方向を指示するキー４１〜４４だけを使用して、表示部１１０に表示された全ての放送局と、メモリ表示１〜３にプリセットされた局の選局が可能になる。この場合、表示部１１０には、バンドの異なる放送局である、ＡＭ放送の局とＦＭ放送の局とテレビジョン放送の局とが、３つの行に分けて表示されるようにカードを製作してあるが、バンドの変更についても、上方向のキー又は下方向のキーの操作で可能であり、ユーザは、表示部１１０のカード表示用窓１１１に表示されている放送局名を確認しながら、簡単に所望の局の選局が行える。また、メモリ表示１〜３にプリセットされた放送局を受信する場合にも、その４つの方向を指示するキー４１〜４４の操作で可能であり、非常に選局操作が簡単になる。従来はバンド切換え操作と、その切り換えられたバンド内での選局操作の２段階の操作が必要であったので、たとえ１枚のカード上に複数のバンドの放送局が表示されていても、バンドの変更が必要な場合には、バンド切換え用のキー操作が必要であり、操作が煩雑であったが、本例の場合には、受信する放送局のバンドをユーザが意識する必要がなくなり、表示部１１０での表示を見ながら簡単に選局操作がおこなる。
【００５６】
なお、ここまで説明した例では、複数行マトリクス状に放送局をカードに表示させるようにした場合に、１行ずつ放送局の受信バンドを変えるようにしたが、行毎にバンドを変えるようにしないで、各行の中に他のバンドの放送局を混在させても良い。また、メモリ表示をカード上の放送局表示とは別に設けたが、このようなメモリ表示を設けない構成としても良い。或いは、カード上に、メモリ表示を設けるようにしても良い。
【００５７】
また、上述した例では、上又は下の行に受信局を変化させるキー操作を行った場合に、対応した行の列位置に、局名が表示されてない状態のとき、その行の局の選局に移らないようにしたが、指示された行の最も近い列の局の受信に移るようにしても良い。
【００５８】
また、上述した実施の形態では、カードを表示部に挿入させて、そのカード上に印刷などで記載された放送局名を表示させるようにしたが、液晶表示パネルなどの表示手段を使用して、カードなどを使用しないで、放送局名を受信機に直接マトリクス状に表示させるようにしても良い。或いは、放送局名ではなく、その他の放送局に関する情報を、表示部に表示させるようにしても良い。例えば、テレビジョン放送局の場合には、チャンネル番号を表示させたり、ラジオ放送の場合には、周波数などを表示させても良い。
【００５９】
また、上述した実施の形態では、ラジオ受信機でラジオ放送及びテレビジョン放送の音声を受信するための選局処理に適用したが、その他の放送信号受信装置で放送局の選局を行う場合にも適用可能である。例えば、テレビジョン受像機での選局時に、同様の処理を行うようにしても良い。また、テレビジョン受像機に選局信号などのリモートコントロール信号を送信するリモートコントロール装置に、本例の選局装置の構成を適用するようにしても良い。
【００６０】
図８は、テレビジョン受像機用のリモートコントロール装置に適用した場合の例を示した図である。この例では、リモートコントロール装置３００に、比較的大型の液晶表示パネルなどで構成される表示部３０１を設けて、その表示部３０１に、テレビジョン受像機で受信可能な放送局のチャンネル番号又は外部入力を、地上波の列３２０と、ＢＳ放送の列３３０と、ＣＳ放送の列３４０と、外部入力の列３５０に分けてマトリクス状に表示させる。このときマトリクス状に表示される各チャンネルについては、所定のプリセット動作で選べるようにする。
【００６１】
そして、上下左右の４方向を指示する４つのキー３１１，３１２，３１３，３１４を選局用のキーとして設けて、その選局用のキー３１１〜３１４の操作で選ばれたチャンネル番号などを点滅させるようにして、その点滅したチャンネル番号に切換わる選局信号を、赤外線信号などのリモートコントロール信号として、送信部３０５から送信させる。また、選局用のキー３１１〜３１４の他に、電源キー３０２、音量アップキー３０３及びダウンキー３０５があれば、テレビジョン受像機の基本的な操作が可能である。
【００６２】
例えば、このような構成のリモートコントロール装置３００で、図８に示すように、表示部３０１内のＢＳ放送のＢＳ７チャンネルが点滅して、このチャンネルを受信している状態で、左方向キー３１３を１回押し、下方向キー３１２を１回押すことで、ＣＳ放送の２０１チャンネルに点滅する位置を変化させることで、そのチャンネルの選局を指示するリモートコントロール信号を送信させることができる。なお、表示部３０１で表示された中から、４つのキー３１１，３１２，３１３，３１４でいずれかのチャンネルを選んだ後に、確定キーなどを操作することで、その選ばれたチャンネルに選局される選局信号が送信されるようにしても良い。
【００６３】
このようにしたことで、テレビジョン放送を複数のバンドや放送システムに跨がってチャンネル切換えする場合であっても、方向を指示するキー操作だけで簡単に選局が可能になる。
【００６４】
【発明の効果】
本発明によると、マトリクス状に表示された放送局名などの情報の中から、４方向を個別に指示する操作手段の操作で選択された放送局の受信が行え、マトリクス状に多数配置された放送局の中から所望の放送局を選局する操作が、簡単に行える。
【００６５】
この場合、表示手段へのマトリクス状の放送局に関する情報の表示は、受信するバンド毎に、異なる行に分けて表示させ、操作手段で選択する行の変化で、制御手段は、異なるバンドの放送局の受信に変化させる制御を行うことで、例えばＦＭ放送とＡＭ放送のように、異なるバンドに跨がる選局であっても、バンド切換え操作が必要なく、所望の局の選局が簡単に行える。
【００６６】
また、表示手段でのマトリクス状に表示された特定の行には、プリセットされた放送局に関する情報又は入力を表示させ、操作手段で特定の行の選択で、プリセットされた放送局に関する情報又は入力を受信する指示を行うことで、ユーザ操作などでプリセットされた放送局の受信についても、４方向を個別に指示する操作手段の操作だけで行え、より操作性が向上する。
【００６７】
また、表示手段は、放送局名をマトリクス状に表示させたカードを収納させる手段であり、表示手段に収納されたカードの種類を判別する判別手段を備えて、制御手段は、判別手段で判別した種類に応じて、表示手段にマトリクス状に表示された各位置の放送局を特定することで、受信可能な放送局を表示させることがカードの選択で簡単に行える。
【００６８】
また、このようにカードを収納できるようにした場合に、カードは、地域毎に受信できる放送局名をマトリクス状に表示させた、地域別に用意されたカードであることで、各地域での受信設定がカードの選択だけで簡単に行える。
【００６９】
また、カードを収納できるようにした場合に、カードに表示された各放送局名に対応して制御手段が判断する放送局の受信周波数は、サテライト局まで含めた複数の受信周波数であり、その複数の受信周波数の中で受信感度の良い受信周波数を制御手段は選定するようにしたことで、同一の放送局に対する複数の受信周波数が存在する場合に、ユーザでの受信局の選定操作をすることなく、適切な受信が行える。
【図面の簡単な説明】
【図１】本発明の一実施の形態による装置の形状の例を示した斜視図である。
【図２】本発明の一実施の形態による装置の構成例を示したブロック図である。
【図３】本発明の一実施の形態によるカードの挿入状態の例を示した斜視図である。
【図４】本発明の一実施の形態による表示例を示した説明図である。
【図５】本発明の一実施の形態によるデータテーブルの例を示した説明図である。
【図６】本発明の一実施の形態による周波数プリセット時の処理例を示したフローチャートである。
【図７】本発明の一実施の形態による選局動作の例を示したフローチャートである。
【図８】本発明の他の実施の形態による構成例を示した平面図である。
【図９】従来の受信機の構成例を示した説明図である。
【符号の説明】
４１〜４４…選局用キー、１００…ラジオ受信機、１１０…表示部、１１１…カード表示用窓、１１２〜１１４…メモリ表示、１２０…蓋、１２１…カード挿入用溝、２００…カード、２０１，２０２…カード種別判別用孔、２１１〜２１６…第１行の放送局表示、２２１〜２２３…第２行の放送局表示、２３１〜２３５…第３行の放送局表示、３００…リモートコントロール装置、３１１〜３１４…選局用キー、３２０…第１行の局番号表示、３３０…第２行の局番号表示、３４０…第３行の局番号表示、３５０…第４行の入力番号表示
【図１】
2005027102.tif 000003
【図２】
2005027102.tif 000004
【図３】
2005027102.tif 000005
【図４】
2005027102.tif 000006
【図５】
2005027102.tif 000007
【図６】
2005027102.tif 000008
【図７】
2005027102.tif 000009
【図８】
2005027102.tif 000010
【図９】
2005027102.tif 000011